(57)【特許請求の範囲】
【請求項１】
受面（１４）を有する基体（１）と、クランプ素子（３）と、基体（１）及びクランプ素子（３）の間にクランプ可能なボール（４）とを具え、該ボール（４）に結合素子（５）が設けられ、該ボール（４）が、受面（１４）に対して垂直に延在する中心軸線を有するクランプ素子（３）の貫通開口（６）を貫通する固定装置において、基体（１）に対向する結合素子（５）の第1端部領域に軸受箇所（７）が設けられ、該軸受箇所（７）が、ボール（４）の中心部に対応して設けられた軸受（８）内に係合することにより、結合素子（５）がボール（４）に対して回動可能とされていることを特徴とする固定装置。
【請求項２】
請求項１記載の固定装置において、軸受箇所（７）が円筒形状部分から、また、軸受（８）が対応する円筒形状孔から、それぞれ形成されていることを特徴とする固定装置。
【請求項３】
請求項１又は２に記載の固定装置において、結合素子（５）は、軸受箇所（７）と反対側の第２端部領域に偏心部材（９）を有し、該偏心部材（９）の偏心面が軸受箇所（７）の中心軸線に対して垂直に延在することを特徴とする固定装置。
【請求項４】
請求項３記載の固定装置において、結合素子（５）は、軸受箇所（７）と偏心部材（９）との間で、結合素子（５）と一体回転可能に結合され、かつ、結合素子（５）の側方から突出する旋回レバー（１０）を有することを特徴とする固定装置。
【請求項５】
請求項３記載の固定装置において、前記旋回レバー（１０）の遊端は、軸受箇所（７）の中心軸線に対して平行に、基体（１）とは逆向きに曲折していることを特徴とする固定装置。
【請求項６】
請求項５記載の固定装置において、前記旋回レバー（１０）の遊端は、基体（１）の外周輪郭から外方に向けて突出することを特徴とする固定装置。
【請求項７】
請求項１〜６の何れか一項に記載の固定装置において、ボール（４）は、軸受（８）の中心軸線に対して垂直に延在すると共にボール（４）の断面積が最大となる面内で、環状溝（１１）を外周面に有し、該環状溝（１１）に対してほぼ接線方向に配置した基体（１）の旋回軸（１２）の一部が前記環状溝（１１）内に変位可能であることを特徴とする固定装置。
【発明の詳細な説明】
【０００１】
【技術分野】
本発明は、請求項１の前段部分に記載された構成を有する固定装置に関するものである。
【０００２】
【背景技術】
この固定装置は、ドイツ特許第３３４４０６４号明細書に開示されており、基体と、クランプ素子と、ボールと、ボールに結合した結合素子とを具える。基体は受面と共に基板上に位置し、２本のねじを用いて基板に固定される。基板自体は床面上に位置する。基板は受面に対向する側で突条を有し、この突条は半球形状の受け開口を有すると共に、外周面に外ねじを有する。この外ねじは、クランプ素子の内ねじに締結されるものである。クランプ素子は、内部にディスク状の軸受素子を具える。この軸受素子の貫通孔は、ボールの外周面に適合した形状を有する。ボールは基体の受孔内に位置すると共に、クランプ素子を用いて、ディスク状の軸受素子を介し、基体に対してクランプ素子を旋回させることにより、締め付け可能となる。
【０００３】
基体の受面とは逆方向に、ねじ付きボルト形状の結合素子がボールから突出し、この結合素子はガイドレールの前端面において、対応して形成した内ねじに締結される。
【０００４】
上述した構成を有する既知の固定装置において、受面を内包する平面に対して平行又は傾斜して延在する平面内では、ボールと、基体と、クランプ素子との間におけるクランプ結合が解除される場合にのみガイドレールの旋回が可能となり、ボールは基体及びクランプ素子に対して自由に回転及び旋回する。
【０００５】
【発明の課題】
本発明の課題は、結合素子に固定可能なガイドレールが、受面に対して予め調整された結合素子の垂直性及び傾斜を失うことなく、基体の受面が延在する平面に対して平行に、または所定の角度で延在する平面内で旋回可能であり、しかも、簡単かつ確実に操作しうる固定装置を提案することにある。
【０００６】
【課題の解決手段】
本発明は、受面を有する基体と、クランプ素子と、基体及びクランプ素子の間にクランプ可能なボールとを具え、該ボールに結合素子が設けられ、該ボールが、受面に対して垂直に延在する中心軸線を有するクランプ素子の貫通開口を貫通する固定装置において、基体に対向する結合素子の端部領域に軸受箇所が設けられ、該軸受箇所が、ボールの中心部に対応して設けられた軸受内に係合することにより、結合素子がボールに対して回動可能とされていることを特徴とするものである。
【０００７】
本発明による固定装置においては、一方で結合素子と協働するボールを堅固にクランプし、他方ではボールに対して結合素子が回動可能とされている。それにより、結合素子と結合するガイドレールは、受面が形成する平面に対して平行に、または所定の角度で延在する平面内で旋回可能となり、ボール、基体及びクランプ素子相互間の結合を解除する必要がない。
【０００８】
製造技術上の理由により、軸受箇所を円筒形状部分から、これに対応する軸受を円筒形状孔から、それぞれ形成するのが有利である。
【０００９】
固定装置と、例えば、ガイドレールとの間に迅速な結合を実現可能とするため、結合素子は軸受箇所に対向する端部領域に偏心部材を具えるのが好適であり、この場合に偏心部材の偏心断面は軸受箇所の中心軸線に対して垂直に延在させることが可能である。
【００１０】
偏心部材と、例えば、ガイドレールとの間に僅かな労力でクランプ結合を実現可能とするため、結合素子は、軸受箇所と偏心部材との間に、結合素子と一体回転可能に結合すると共に結合素子から側方に突出する旋回レバーを具えるのが好適である。この旋回レバーは、偏心部材と回転結合して協働する。
【００１１】
特に、ガイドレールとしての構造部材に堅固にクランプした偏心部材を、構造部材及びガイドレールに対して係止可能とするために、旋回レバーの遊端に、軸受箇所の中心軸線に対して平行に、基体とは逆向きに曲折し、構造部材及びガイドレールと形状結合しうる係止部分を設けるのが有利である。
【００１２】
偏心部材の係止に際して、曲折した遊端を構造部材及びガイドレールと形状結合させるためには、旋回レバーの十分な弾性特性を実現可能とする必要がある。そのために、旋回レバーの遊端は基体の外周輪郭から外方に向けて突出させるのが有利である。
【００１３】
受面が形成する平面に対して軸受を垂直に整列させるため、ボールは、軸受の中心軸線に対して垂直に延在すると共にボールの断面積が最大となる面内で、環状溝を外周面に有する構成とするのが有利である。この場合、環状溝に対してほぼ接線方向に配置した基体の旋回軸の一部を環状溝内に変位可能とする。その結果、ボールは基体及びクランプ素子に対して固定される。
【００１４】
上記の環状溝内に変位可能とされた旋回軸の領域は、片側に凹所を有する。この場合、旋回軸を回動させることにより、凹所が環状溝に対して整列可能となるため、旋回軸はボールとは形状結合しなくなる。従って、軸受の中心軸線が受面の形成する平面に対して垂直には延在しない位置まで、ボール及び結合素子を回動させることが可能となる。
【００１５】
【実施の形態】
以下、本発明を図示の好適な実施形態について更に具体的に説明する。
【００１６】
図１〜図３に示した固定装置は、ガイドレール（図示せず）を基盤表面に固定するものである。この場合、基盤は、ガイドレールに沿って摺動する工具により加工する。
【００１７】
固定装置は基体１を具える。基体１を構造部材（図示せず）の表面上で一層良好に支持するため、受面１４を有する脚部を具える。基体１には、例えば、４個の脚部を配置するが、２個の脚部だけを設けることも可能である。基体１は、例えば、３個の脚部だけを具えることも可能である。この場合には、いわゆる三点支持が実現可能である。図示しない固定ねじにより、加工すべき基盤の表面に基体１を固定する。この固定ねじは、基体１に設けた長孔２を貫通すると共に、基盤に設けた所定の受け孔（図示せず）内に締結可能である。
【００１８】
受面１４に対向する側で、基体１はほぼ半球状の受孔６を具え、この受孔６は受面１４の方向に直径が減少する。受孔６内にはボール４を配置する。ボール４と協働し、基体１と結合するクランプ素子３は、基体１とクランプ素子３との間にボール４をクランプする。クランプ素子３は、基体１と同様に、受面１４とは逆向きに直径が減少する半円形状の受孔６を具える。クランプ素子３と基体１とは、旋回軸１２を介して相互に旋回可能に結合され、旋回軸１２の中心軸線は受面１４に対して平行に延在する。旋回軸１２の正確な位置関係については後述する。
【００１９】
外ねじ１６を、クランプ素子３の貫通孔を貫通させて配置すると共に、対応する内ねじを設けた基体１の受け孔内に締結する。外ねじ１６により、基体１及びクランプ素子３の半円形状受け孔６と、ボール４の外周面との間における遊びを解消する。これにより、ボール４は基体１とクランプ素子３との間に堅固にクランプされる。
【００２０】
外ねじ１６の頭部と受面１４に背向するクランプ素子３の表面との間に、例えば、２枚のディスクからなる補整素子１５を配置する。補整素子１５により、クランプ素子３が受面１４の形成する平面に対して傾斜して配置される場合であっても、外ねじ１６の頭部をクランプ素子３の表面に良好に支持することが可能である。
【００２１】
ボール４は、軸受８としての円筒形状の貫通孔を有し、この軸受８は受面１４に向けて段階的に拡大する。軸受８の両側から、フランジ状のリングを有する軸受ブッシュ１８，１９を貫通孔の小径部分に突入させる。貫通孔は、互いに離間する軸受ブッシュ１８，１９の間に、バックカット形状の半径方向拡大部分１３を有する。軸受ブッシュ１８，１９により、軸受箇所７と共に両軸受ブッシュ１８，１９を貫通する結合素子５を担持する。軸受箇所７の遊端と、貫通孔８の段状移行部分とは同一平面内に位置する。
【００２２】
結合素子５に、軸受箇所７の遊端から内ねじを形成し、この内ねじ内に外ねじ１７を締結する。外ねじ１７の頭部は、座がねを介在させた状態で、貫通孔の段状移行部分から形成されて受面１４に対向する環状当接面により支持する。軸受箇所７の外径は、軸受ブッシュ１８，１９の内径に一致する。軸受ブッシュ１８，１９の外径は、ボール４の中心を貫通する貫通孔における小径部分の内径に一致する。
【００２３】
軸受箇所７に対向する結合素子５の遊端領域には、偏心部材９を配置する。この偏心部材９の偏心断面は、軸受箇所７の中心軸線に対して垂直に延在する平面内に存在する。偏心部材９は、互いに平行に離間すると共に軸受箇所７の中心軸線に対して平行に延在する一対の平坦面を有する。
【００２４】
受面１４方向で、偏心部材９に旋回レバー１０を直結する。旋回レバー１０の遊端は、受面１４とは逆向きとなるよう、直角に曲折する。この曲折した旋回レバー１０の遊端は、例えば、詳細には図示していない係止部分を具える。この係止部分により、偏心部材９をガイドレール（図示せず）における所定のクランプ位置で係止可能であり、その際に係止閉部分はガイドレールと形状結合する。
【００２５】
旋回レバー１０には、スパナ係合部２１をさらに直結する。このスパナ係合部２１に適切な開口スパナ（図示せず）を係合させて、結合素子５全体を旋回させることが可能である。
【００２６】
ボ  ール４には、ボール４の断面が最大となる平面内で軸受８の中心軸線に対して垂直に延在する環状溝１１を形成する。
【００２７】
基体１とクランプ素子３とを相対回動可能に結合する旋回軸１２は、ボール４における環状溝１１に対してほぼ接線方向に延在すると共に、受面１４に対しては平行に基体１とクランプ素子３とを通過して延在し、側方でボール４の環状溝１１に突入する。旋回軸１２がボール４内で環状溝１１と協働することにより、結合素子５がボール４に対して旋回しても、軸受８は常に受面１４から形成された平面に対して垂直な位置に保持することが可能である。
【００２８】
旋回軸１２の環状溝１１内に突入する領域は、片側に凹所２０を有する。旋回軸１２の回転により、凹所２０は環状溝１１に向けて整列可能であるため、旋回軸１２はもはや環状溝１１内には突入しない。従って、ボール４は、軸受８の中心軸線が受面１４から形成した平面に対して垂直には延在しない位置まで回動させることができる。
【図面の簡単な説明】
【図１】  図１は、本発明による固定装置を示す側面図である。
【図２】  図２は、図１及び図３に示す固定装置のII-II線断面図である。
【図３】  図３は、図１及び図２に示す固定装置の平面図である。
【符号の説明】
１  基体
２  長孔
３  クランプ素子
４  ボール
５  結合素子
６  受孔
７  軸受箇所
８  軸受
９  偏心部材
１０  旋回レバー
１１  環状溝
１２  旋回軸
１３  バックカット
１４  受面
１５  補整素子
１６，１７  外ねじ
１８，１９  軸受ブッシュ
２０  凹所
２１  スパナ係合部
【図１】
0004531928.tif 000002
【図２】
0004531928.tif 000003
【図３】
0004531928.tif 000004